(57)【要約】【課題】リモコンＩＣのリセット時に多重押しがあった場合でも、モード判別を確実に行えるようにする。【解決手段】マトリクス状に配置されたキースイッチ１５ａ，１５ｂ，・・・にモード選択スイッチＪＷ０〜ＪＷ７が接続され、このモード選択スイッチＪＷ０〜ＪＷ７によるモード選択状態をキースイッチ１５ａ，１５ｂ，・・・を利用して判別するに際し、リモコンＩＣ１０は、装置のリセット時にキースイッチ１５ａ，１５ｂ，・・・が多重押しされている場合には、モード判別を禁止することなく判別不可状態としてモード判別動作を継続し、キースイッチ１５ａ，１５ｂ，・・・の中の１個のキーが押された状態または全てのキーが押されていない状態を検知したときに多重押しが解消されたと判断して、その時点でモード判別を行う。【選択図】  図１
2005012617.tif 000002
【特許請求の範囲】
【請求項１】
各種モードの設定が可能であって、マトリクス状に配置されたキースイッチ群に装置自体のモードを選択するモード選択スイッチが接続され、このモード選択スイッチによるモード選択状態を前記キースイッチ群を利用して判別するモード判別手段を備えており、かつ、前記モード判別手段は、装置のリセット時に前記モード選択スイッチのオン、オフ状態を判断してモード判別を行うとともに、前記キースイッチが多重押しされているときにはモード判別を禁止するように動作するリモートコントロール装置において、
前記モード判別手段は、装置のリセット時にキースイッチが多重押しされている場合には、モード判別を禁止することなく判別不可状態としてモード判別動作を継続し、前記キースイッチ群の中の１個のキーが押された状態または全てのキーが押されていない状態を検知したときに多重押しが解消されたと判断してその時点でモード判別を行うことを特徴とするリモートコントロール装置。
【請求項２】
各種モードの設定が可能であって、マトリクス状に配置されたキースイッチ群と装置自体に設定されたモードを判別するモード判別手段とが兼用されており、かつ、前記モード判別手段は、装置のリセット時にモード判別を行うとともに、前記キースイッチが多重押しされているときにはモード判別を禁止するように動作するリモートコントロール装置において、
前記モード判別手段は、装置のリセット時にキースイッチが多重押しされている場合には、モード判別を禁止することなく判別不可状態としてモード判別動作を継続し、多重押しが解消されたときに初めてモード判別を行うことを特徴とするリモートコントロール装置。
【請求項３】
前記モード判別手段は、前記キースイッチ群の中の１個のキーが押された状態または全てのキーが押されていない状態を検知したときに多重押しが解消されたと判断することを特徴とする請求項２に記載のリモートコントロール装置。
【請求項４】
各種モードの設定が可能であって、マトリクス状に配置されたキースイッチ群に装置自体のモードを選択するモード選択スイッチが接続され、このモード選択スイッチによるモード選択状態を前記キースイッチ群を利用して判別するモード判別手段を備えており、かつ、前記モード判別手段は、装置のリセット時に前記モード選択スイッチのオン、オフ状態を判断してモード判別を行うとともに、前記キースイッチが多重押しされているときにはモード判別を禁止するように動作するリモートコントロール装置において、
前記モード判別手段は、装置のリセット時にキースイッチが多重押しされている場合には、モード判別を禁止することなく判別不可状態としてモード判別動作を継続し、多重押しが解消されたときに初めてモード判別を行うことを特徴とするリモートコントロール装置。
【発明の詳細な説明】
【０００１】
【発明の属する技術分野】
本発明は、テレビジョン受像機やビデオカセットレコーダ、ＣＤプレーヤ、ＤＶＤプレーヤ等の各種電子機器のリモートコントロール装置に関する。
【０００２】
【従来の技術】
従来より、リモートコントロール装置が数多く提案されているが、特に、キースイッチの多重押しによる誤動作を回避するための技術が種々提案されている（例えば、特許文献１参照）。
【０００３】
特許文献１のリモートコントロール装置によれば、多重押し検出回路は、キースイッチ群が多重押し等により押し下げされている場合には、比較回路でのデータ比較を禁止し、出力コントロール回路を出力禁止状態にするようになっている。すなわち、多重押しの場合には、処理自体を禁止する構成となっている。
【０００４】
ところで、リモートコントロール装置は、製造コスト等の面から、種々の機種に共通して用いることができるように、内臓されるリモコンＩＣは共通化されている。そのため、リモコンＩＣには、各機種に対応したモードが選択できるように、例えばジャンパースイッチからなるモード選択スイッチが、モードの種類に対応した数だけ設けられており、任意のモード選択スイッチをオンすることで、そのモードに対応した機種のリモートコントロール装置として使用できるようになっている。また、このモード選択スイッチは、キースイッチ群に付加される形で設けられており、キースイッチ群を介してモード選択スイッチのオン状態、すなわちモード判別が行えるようになっている。
【０００５】
【発明が解決しようとする課題】
この場合、従来のリモートコントロール装置では、電池の入れ換え等によるリセット時にモード判別を行うが、リモートコントロール装置では、通常電池の収納部は装置本体の裏面側に設けられている場合が多く、この場合には、装置本体を裏返し、キースイッチ群を手のひら側に向けた状態で電池を入れ換えることになる。そのため、指や手のひら等で不測にキースイッチを多重押しした状態で電池を入れ換えてしまうと、モードを誤判別してしまうといった問題があった。
【０００６】
この点について、図１に示す本発明の回路ブロック図を参照して簡単に説明する。
【０００７】
リモコンＩＣ１０には、各端子に接続された縦信号ライン１１ａ，１１ｂ，・・・及び横信号ライン１２ａ，１２ｂ，・・・がマトリクス状に配置されており、その各交差部にそれぞれキースイッチ１５ａ，１５ｂ，・・・が配置されている。各モード選択スイッチＪＷ０，ＪＷ１，・・・は、各横信号ライン１２ａ，１２ｂ，・・・の一端側に接続されており、各モード選択スイッチＪＷ０，ＪＷ１，・・・の他端側がリモコンＩＣ１０のモード判別端子Ｓ２に接続されている。なお、キースイッチ１５ａ，１５ｂ，・・・については、以下の説明で必要である場合には、図中に付されたボタン番号（００），（０１）・・・（５４）を用いて区別するものとする。
【０００８】
このような構成において、図４に示すように、例えばモード選択スイッチＪＷ１がオン状態（この状態を「ＪＷ１モード」と称する：以下同様）になっていたとすると、リセット時にリモコンＩＣ１０は、各端子ｋｉｏ０〜Ｋｉｏ７から一定のタイミングで順次キースキャン信号を出力する。この場合、端子Ｋｉｏ１からキースキャン信号が出力されると、この信号は横信号ライン１２ｂを通り、オン状態のモード選択スイッチＪＷ１を通ってモード判別端子Ｓ２に入力される。これにより、リモコンＩＣ１０は、モード選択スイッチＪＷ１がオン状態であると判別できるので、内部の動作状態をＪＷ１モードに設定することができる。
【０００９】
このとき、例えば多重押しにより、キースイッチ（０９）とキースイッチ（１６）が押されていた場合には、次の端子Ｋｉｏ２からキースキャン信号が出力されると、この信号は横信号ライン１２ｃを通り、キースイッチ（１６）を介して縦信号ライン１１ｃを通り、キースイッチ（０９）を介して横信号ライン１２ｂを通り、オン状態のモード選択スイッチＪＷ１を通ってモード判別端子Ｓ２に入力される。すなわち、端子Ｋｉｏ２からキースキャン信号を出力したときもモード判別端子Ｓ２に信号が入力されるため、リモコンＩＣ１０では、モード選択スイッチＪＷ２がオン状態であると誤判別してしまうといった問題があった。
【００１０】
この場合、上記した従来のリモートコントロール装置のように、多重押しの場合に処理自体を禁止してしまったのでは、リセット時のモード判別が行えなくなってしまうといった問題が発生する。
【００１１】
本発明はかかる問題点を解決すべく創案されたもので、その目的は、リモコンＩＣのリセット時に多重押しがあった場合でも、モード判別を正しく行うことのできるリモートコントロール装置を提供することにある。
【００１２】
【課題を解決するための手段】
本発明のリモートコントロール装置は、各種モードの設定が可能であって、マトリクス状に配置されたキースイッチ群と装置自体に設定されたモードを判別するモード判別手段とが兼用されており、かつ、前記モード判別手段は、装置のリセット時にモード判別を行うとともに、前記キースイッチが多重押しされているときにはモード判別を禁止するように動作するリモートコントロール装置を対象としている。そして、前記モード判別手段は、装置のリセット時にキースイッチが多重押しされている場合には、モード判別を禁止することなく判別不可状態としてモード判別動作を継続し、多重押しが解消されたときに初めてモード判別を行うことを特徴としている。すなわち、前記モード判別手段は、前記キースイッチ群の中の１個のキーが押された状態または全てのキーが押されていない状態を検知したときに多重押しが解消されたと判断してモード判別を行う。
【００１３】
より具体的に説明すると、本発明のリモートコントロール装置は、各種モードの設定が可能であって、マトリクス状に配置されたキースイッチ群に装置自体のモードを選択するモード選択スイッチが接続され、このモード選択スイッチによるモード選択状態を前記キースイッチ群を利用して判別するモード判別手段を備えており、かつ、前記モード判別手段は、装置のリセット時に前記モード選択スイッチのオン、オフ状態を判断してモード判別を行うとともに、前記キースイッチが多重押しされているときにはモード判別を禁止するように動作するリモートコントロール装置を対象としている。そして、前記モード判別手段は、装置のリセット時にキースイッチが多重押しされている場合には、モード判別を禁止することなく判別不可状態としてモード判別動作を継続し、前記キースイッチ群の中の１個のキーが押された状態または全てのキーが押されていない状態を検知したときに多重押しが解消されたと判断してその時点でモード判別を行う。
【００１４】
これにより、キースイッチ群とモード判別手段とが兼用されているリモートコントロール装置において、リモコンＩＣのリセット時に多重押しが発生した場合でも、モード判別動作を確実に行うことが可能となる。
【００１５】
【発明の実施の形態】
以下、本発明の実施の形態について、図面を参照して説明する。
図１は、本実施形態のリモートコントロール装置の主要部の構成を示す回路ブロック図である。
【００１６】
本実施形態のリモートコントロール装置は、各種モードの設定が可能であって、マトリクス状に配置されたキースイッチ群と装置自体に設定されたモードを判別するモード判別手段とが兼用されている構造のリモートコントロール装置が前提となっている。
【００１７】
すなわち、本実施形態のリモートコントロール装置は、装置全体の動作を制御するリモコンＩＣ１０を備えている。このリモコンＩＣ１０には、各端子Ｋｉ０〜Ｋｉ３，Ｓ０，Ｓ１／ＬＥＤにそれぞれ接続された縦信号ライン１１ａ，１１ｂ，・・・，１１ｆ及び各端子Ｋｉｏ０〜Ｋｉｏ７にそれぞれ接続された横信号ライン１２ａ，１２ｂ，・・・，１２ｈがマトリクス状に配置されており、その各交差部にそれぞれキースイッチ１５ａ（５２），１５ｂ（５１），・・・が配置されている。各モード選択スイッチＪＷ０，ＪＷ１，・・・，ＪＷ７は、本実施形態ではジャンパースイッチであって、各横信号ライン１２ａ，１２ｂ，・・・，１２ｈの一端側に接続されており、各モード選択スイッチＪＷ０，ＪＷ１，・・・，ＪＷ７の他端側がリモコンＩＣ１０のモード判別端子Ｓ２に接続されている。本実施形態では、モード選択スイッチＪＷ０〜ＪＷ７のいずれかのスイッチがオンされたとき、及び全てのモード選択スイッチＪＷ０〜ＪＷ７がオフ状態のときの、計９通りのモードが選択可能になっている。
【００１８】
また、リモコンＩＣのＲＥＭ端子は、ベース抵抗Ｒ１を介してスイッチングトランジスタＱのベースに接続されており、エミッタがアースに接続されているスイッチングトランジスタＱのコレクタに、抵抗Ｒ２を介して発光ダイオードＤのカソードが接続されている。また、発光ダイオードＤのアノードは、電源２１、コンデンサＣ１，Ｃ２を介してリモコンＩＣのＶＤＤ端子に接続されている。さらに、リモコンＩＣのＸＩＮ端子とＸＯＵＴ端子との間に水晶発振子２２が接続されており、水晶発振子２２のアース端子及びリモコンＩＣ１０のＧＮＤ端子がアース電位に接続されている。
【００１９】
電源２１は、リモートコントロール装置では通常電池が使用されている。電池は、図示しない装置本体の裏面側に設けられた電池収納部に収納されるようになっている。
【００２０】
上記構成において、本実施形態のリモートコントロール装置は、通常使用時には、各端子Ｋｉｏ０〜Ｋｉｏ７から一定のタイミング（数ｍｓｅｃ間隔）で順次キースキャン信号を繰り返し出力している。そして、ユーザが例えばキースイッチ（５２）を押すと、横信号ライン１２ｈと縦信号ライン１１ｄとが接続される結果、端子Ｋｉｏ７からキースキャン信号が出力されたとき、横信号ライン１２ｈ、キースイッチ（５２）、縦信号ライン１１ｄを介して端子Ｋｉ３に信号が入力される。
【００２１】
リモコンＩＣ１０では、この信号の入出力関係、すなわち端子Ｋｉｏ７からキースキャン信号を出力したとき端子Ｋｉ３に信号が入力される関係に基づき、キースイッチ（５２）が押されたと判断して、キースイッチ（５２）に設定された制御信号を出力する。例えば、ＪＷ１がオン状態のとき（ＪＷ１モードのとき）にキースイッチ（５２）が押されると、例えば「ＰＬＡＹコード」を出力し、ＪＷ２がオン状態のとき（ＪＷ２モードのとき）にキースイッチ（５２）が押されると、例えば「ＳＴＯＰコード」を出力する等、設定されているモードに応じた信号（コード）を出力する。
【００２２】
次に、電源２１である電池が消耗したために、ユーザが電池を入れ換えることによってリモコンＩＣ１０がリセット動作を行うときのモード判別処理について、図２に示すフローチャート及び図３に示す信号の流れ図を参照して説明する。本実施形態のリモートコントロール装置では、リセット動作時にモード判別処理を行う。ただし、以下の説明では、図３に示すように、モード選択スイッチＪＷ１がオン状態（ＪＷ１モード）に設定されているものとする。
【００２３】
電池が消耗してくると、ユーザは、電池を入れ換えるために装置本体を裏返し、キースイッチ１５ａ，１５ｂ・・・側を手のひら側に向けた状態で電池を入れ換えることになる。そのため、指や手のひら等で不測にキースイッチを多重押しした状態で電池を入れ換えてしまうと、モードを誤判別してしまう可能性があるが、本実施形態では、このような誤判断を防止するため、以下の手順でモード判別処理を実施する。
【００２４】
電池が電池収納部に収納されると（ステップＳ１でＹｅｓと判断されると）、リモコンＩＣ１０はモード判別処理を開始する（ステップＳ２）。
【００２５】
すなわち、リモコンＩＣ１０は、各端子ｋｉｏ０〜Ｋｉｏ７から一定のタイミングで順次キースキャン信号を出力する（ステップＳ３〜ステップＳ７）。
【００２６】
この場合、端子Ｋｉｏ０から横信号ライン１２ａにスキャン信号が出力されても、モード選択スイッチＪＷ０がオフ状態であるので、キースキャン信号はリモコンＩＣ１０のモード判別端子Ｓ２には入力されない。すなわち、この場合には図２に示す判断処理がステップＳ４からステップＳ５、ステップＳ６に進み、再びステップＳ４に戻ることになる。
【００２７】
次に、端子Ｋｉｏ１から横信号ライン１２ｂにキースキャン信号が出力されると、モード選択スイッチＪＷ１がオン状態であるので、このキースキャン信号は横信号ライン１２ｂを通り、オン状態のモード選択スイッチＪＷ１を通ってモード判別端子Ｓ２に入力される。すなわち、この場合には図２に示す判断処理がステップＳ４からステップＳ７に進むことになる。そのため、リモコンＩＣ１０では、モード選択スイッチＪＷ１がオン状態であることを内部のメモリに一時記憶して、ステップＳ５に戻る。
【００２８】
次に、端子Ｋｉｏ２から横信号ライン１２ｃにキースキャン信号が出力されても、モード選択スイッチＪＷ２がオフ状態であるので、キースキャン信号はリモコンＩＣ１０のモード判別端子Ｓ２には入力されない。すなわち、この場合には図２に示す判断処理がステップＳ４からステップＳ５、ステップＳ６に進み、再びステップＳ４に戻ることになる。
【００２９】
リモコンＩＣ１０では、このような処理を端子Ｋｉｏ７まで繰り返す。そして、その結果、オン状態のモード選択スイッチが１個だけの場合、または全てのモード選択スイッチがオフ状態の場合（ステップＳ８でＹｅｓと判断された場合）には、オン状態のモード選択スイッチが示すモード、または全てのモード選択スイッチがオフ状態であることを示すモードにリモコンＩＣ１０自体を設定する。本実施形態の場合には、モード選択スイッチＪＷ１がオン状態であるので、リモコンＩＣ１０自体をＪＷ１モードに設定する。
【００３０】
一方、このような処理において、ユーザが不測に任意のキースイッチ１５ａ，１５ｂ・・・を多重押ししていた場合、例えば、図４に斜線を付して示すように、キースイッチ（０９）とキースイッチ（１６）を多重押ししていた場合には、次のような処理となる。
【００３１】
すなわち、端子Ｋｉｏ２からキースキャン信号が出力されると、この信号は横信号ライン１２ｃを通り、キースイッチ（１６）を介して縦信号ライン１１ｃを通り、キースイッチ（０９）を介して横信号ライン１２ｂを通り、オン状態のモード選択スイッチＪＷ１を通ってモード判別端子Ｓ２に入力される。つまり、端子Ｋｉｏ２からキースキャン信号を出力したときもモード判別端子Ｓ２に信号が入力されるため、この場合には図２に示す判断処理がステップＳ４からステップＳ７に進むことになる。そのため、リモコンＩＣ１０では、モード選択スイッチＪＷ２がオン状態であることを内部のメモリに一時記憶して、ステップＳ５に戻る。
【００３２】
その結果、端子Ｋｉｏ０から端子Ｋｉｏ７までのキースキャン処理を終了した時点で、リモコンＩＣは、ＪＷ１とＪＷ２の２個のモード選択スイッチがオ状態であると判断し、ステップＳ８からステップＳ９へと動作を進めて、多重押し状態であると判断し、モード判別を行うことなく再びステップＳ３に戻って、モード判別処理（キースキャン処理）を継続する。
【００３３】
すなわち、本実施形態のリモコンＩＣ１０では、リセット動作時のモード判別処理において、キースイッチが多重押しされた状態である場合には、その時点でモード判別処理を禁止することもなく、またその状態でモード判別を行うこともなく、多重押しが解消されるまで、キースキャンによるモード判別処理を継続する。そして、多重押しが解消されると、図２に示す判断処理において、ステップＳ４からステップＳ７への処理が１回だけ行われるか、もしくは全く行われないまま１サイクルのキースキャン処理が終了するので、リモコンＩＣ１０ではオン状態のモード選択スイッチの個数によって多重押しが解消されたことを判断すると、そのときのモード選択スイッチのオン状態に従ってモードを設定することになる。
【００３４】
これにより、不測に多重押し状態になったとしても、リモコンＩＣ１０のリセット時のモード設定を確実に行うことができる。
【００３５】
【発明の効果】
本発明のリモートコントロール装置によれば、装置のリセット時にキースイッチが多重押しされている場合には、モード判別を禁止することなく判別不可状態としてモード判別動作を継続し、多重押しが解消されたときに初めてモード判別を行う構成としたので、リモコンＩＣのリセット時に多重押しが発生した場合でも、モード判別動作を確実に行うことができる。
【図面の簡単な説明】
【図１】本発明のリモートコントロール装置の主要部の構成を示す回路ブロック図である。
【図２】リモコンＩＣのリセット時のモード判別処理を示すフローチャートである。
【図３】リモコンＩＣのモード判別処理時のキーマトリクスの信号の流れを示す説明図である。
【図４】リモコンＩＣのモード判別処理時において、多重押しされている場合のキーマトリクスの信号の流れを示す説明図である。
【符号の説明】
１０  リモコンＩＣ
１１ａ〜１１ｆ  縦信号ライン
１２ａ〜１２ｈ  横信号ライン
ＪＷ０〜ＪＷ７  モード選択スイッチ
２１  電源（電池）
【図１】
2005012617.tif 000003
【図２】
2005012617.tif 000004
【図３】
2005012617.tif 000005
【図４】
2005012617.tif 000006